(57)【特許請求の範囲】
【請求項１】
バーナボディ上に設けられるバーナヘッドの周面に開口する上下２段の炎口と点火プラグにより点火される点火炎口とを備えるコンロ用バーナであって、バーナヘッドは、バーナボディとの間に下段炎口を画成する下ヘッド部材と、下ヘッド部材との間に上段炎口を画成する上ヘッド部材との２部材で構成されるものにおいて、
下ヘッド部材と上ヘッド部材との一方に点火プラグに対向するターゲット部が設けられ、
点火炎口は、ターゲット部の下側の下ヘッド部材の周面部分に開口し、且つ、下ヘッド部材と上ヘッド部材との間の空間に連通するように設けられ、当該空間に流れる上段炎口用の混合気の一部を点火炎口に流入させることを特徴とするコンロ用バーナ。
【請求項２】
前記ターゲット部は前記下ヘッド部材に設けられることを特徴とする請求項１記載のコンロ用バーナ。
【請求項３】
前記点火炎口は前記下ヘッド部材の周面に向けて下方に傾斜するように形成されることを特徴とする請求項１又は２記載のコンロ用バーナ。
【請求項４】
前記点火炎口は前記下ヘッド部材に穿孔した孔で形成され、下ヘッド部材と上ヘッド部材との間の空間に対する点火炎口の連通部に、溝幅を点火炎口の孔径より小さくした流入溝が設けられ、前記上段炎口用の混合気が流入溝を介して点火炎口に流入することを特徴とする請求項１〜３の何れか１項記載のコンロ用バーナ。
【発明の詳細な説明】
【技術分野】
【０００１】
本発明は、バーナボディ上に設けられるバーナヘッドの周面に開口する上下２段の炎口を備えるコンロ用バーナに関する。
【背景技術】
【０００２】
従来、この種のコンロ用バーナとして、バーナヘッドを下ヘッド部材と上ヘッド部材との２部材で構成し、バーナボディと下ヘッド部材との間に下段炎口を画成し、下ヘッド部材と上ヘッド部材との間に上段炎口を画成するようにしたものは知られている（例えば、特許文献１参照）。また、このものでは、下段炎口の１つを点火プラグにより点火する点火炎口とし、点火炎口への点火で他の下段炎口と上段炎口に火移り点火させるようにしている。
【０００３】
ところで、一般的なコンロ用バーナに設けられているバーナヘッドは単一の部材で構成されており、上記従来例のような２部材で構成されるバーナヘッドは特殊である。そのため、ユーザがバーナヘッドの掃除後にバーナボディ上に下ヘッド部材のみを設置し、上ヘッド部材を設置し忘れる虞がある。ここで、上記従来例のものでは、上ヘッド部材を設置していなくても、バーナボディと下ヘッド部材との間に画成される下段炎口の一つで構成される点火炎口への点火が行われて、他の下段炎口に火移りしてしまう。そして、上段炎口を画成する上ヘッド部材が無い状態で上方に不正規に放出される上段炎口用の混合気に下段炎口から火移りし、逆火や燃焼不良を生ずる。
【０００４】
尚、バーナヘッドを単一の部材で構成し、バーナヘッドに穿孔した孔で上段炎口を形成することも考えられる。然し、これでは、煮こぼれで上段炎口が目詰まりした場合に掃除がし難くなるため、実用的ではない。
【特許文献１】特許第３５８６９７４号公報
【発明の開示】
【発明が解決しようとする課題】
【０００５】
本発明は、以上の点に鑑み、上ヘッド部材を設置し忘れた状態ではバーナに点火されないようにして、逆火や燃焼不良の発生を回避できるようにしたコンロ用バーナを提供することをその課題としている。
【課題を解決するための手段】
【０００６】
上記課題を解決するために、本発明は、バーナボディ上に設けられるバーナヘッドの周面に開口する上下２段の炎口と点火プラグにより点火される点火炎口とを備えるコンロ用バーナであって、バーナヘッドは、バーナボディとの間に下段炎口を画成する下ヘッド部材と、下ヘッド部材との間に上段炎口を画成する上ヘッド部材との２部材で構成されるものにおいて、下ヘッド部材と上ヘッド部材との一方に点火プラグに対向するターゲット部が設けられ、点火炎口は、ターゲット部の下側の下ヘッド部材の周面部分に開口し、且つ、下ヘッド部材と上ヘッド部材との間の空間に連通するように設けられ、当該空間に流れる上段炎口用の混合気の一部を点火炎口に流入させることを特徴とする。
【０００７】
本発明によれば、上ヘッド部材を設置し忘れた状態では、上段炎口用の混合気は上ヘッド部材による規制を受けずに上方に放出されるため、点火炎口へ上段炎口用の混合気が供給されなくなって、点火炎口が点火不能になる。従って、上ヘッド部材を設置し忘れた状態での点火により逆火や燃焼不良を生ずることを回避できる。
【０００８】
尚、ターゲット部を上ヘッド部材に設けると、上ヘッド部材を設置し忘れた場合、点火プラグと下ヘッド部材との間での不正規な火花放電が行われて、下段炎口に点火されてしまう可能性がある。これに対し、ターゲット部を下ヘッド部材に設けておけば、上ヘッド部材を設置し忘れた場合でも、ターゲット部と点火プラグとの間で火花放電が行われるため、不正規な火花放電で下段炎口に点火されることを防止できる。
【０００９】
また、本発明において、点火炎口は下ヘッド部材の周面に向けて下方に傾斜するように形成されることが望ましい。これによれば、上ヘッド部材により上段炎口用混合気の上方への流れを規制しない限り、下方に傾斜した点火炎口には混合気が流れない。従って、上ヘッド部材を設置し忘れた状態での点火炎口への点火をより確実に防止できる。
【００１０】
また、点火炎口を下ヘッド部材に穿孔した孔で形成する場合、下ヘッド部材と上ヘッド部材との間の空間への点火炎口からの逆火を防止するには、点火炎口の孔径を２ｍｍ以下にする必要がある。然し、孔径が２ｍｍ程度では、下ヘッド部材の洗浄で点火炎口が水封すると、水が抜けなくなる。この場合、下ヘッド部材と上ヘッド部材との間の空間に対する点火炎口の連通部に、溝幅を点火炎口の孔径より小さくした流入溝が設けられ、上段炎口用の混合気が流入溝を介して点火炎口に流入するようにしておけば、溝幅の小さな流入溝により逆火を防止できるため、点火炎口の孔径を大きくして、水を抜けやすくすることができ有利である。
【発明を実施するための最良の形態】
【００１１】
図１を参照して、１はコンロ本体、２はコンロ本体１の上面を覆う天板、３はコンロ用バーナを示している。天板２にはバーナ用開口２ａが開設されている。また、天板２上には、バーナ用開口２ａを囲うようにして図示省略した五徳が載置される。そして、五徳に載置する調理容器がバーナ３で加熱される。
【００１２】
バーナ３は、バーナ用開口２ａに挿通されるバーナボディ４と、バーナボディ４上のバーナヘッド５とを備えている。バーナヘッド５の周面には、図２に示す如く、上下２段の炎口６Ｕ，６Ｌが夫々周方向の間隔を存して多数開口し、更に、周方向1箇所に点火炎口６Ｉが開口している。ここで、五徳の複数の五徳爪に合致する周方向複数箇所には、五徳爪に火炎が触れて不完全燃焼することを防止するため、上段炎口６Ｕが設けられていない。従って、下段炎口６Ｌの個数は上段炎口６Ｕの個数より若干多くなる。但し、各下段炎口６Ｌの面積は各上段炎口６Ｕの面積より遥かに小さく、そのため、下段炎口６Ｌの総面積は上段炎口６Ｕの総面積より小さくなる。
【００１３】
バーナボディ４は、外側の筒体４１と中間の筒体４２と内側の筒体４３との内外３重の筒体で構成されている。また、バーナヘッド５は、内周にバーナボディ４の中間筒体４２に嵌合する筒部５１ａを垂設した環状の下ヘッド部材５１と、内周にバーナボディ４の内側筒体４３に嵌合する筒部５２ａを垂設した環状の上ヘッド部材５２とで構成されている。下ヘッド部材５１の上面外周部には、上ヘッド部材５２が着座する上環状壁５３が立設され、この上環状壁５３に上段炎口６Ｕとなる溝が周方向の間隔を存して多数形成されている。そして、これら溝の上端が上ヘッド部材５２により閉塞されることで、下ヘッド部材５１と上ヘッド部材５２との間に上段炎口６Ｕが画成される。また、下ヘッド部材５１の下面外周部には、バーナボディ４の外側筒体４１の上端部に着座する下環状壁５４が垂設され、この下環状壁５４に下段炎口６Ｌとなる溝が周方向の間隔を存して多数形成されている。そして、これら溝の下端が外側筒体４１の上端部により閉塞されることで、バーナボディ４と下ヘッド部材５１との間に下段炎口６Ｌが画成される。
【００１４】
バーナ３は、更に、バーナボディ４の中間筒体４２と内側筒体４３との間の空間に連通する上段炎口６Ｕ用の第１混合管７Ｕと、バーナボディ４の外側筒体４１と中間筒体４２との間の空間に連通する下段炎口６Ｌ用の第２混合管７Ｌとを備える。そして、第１と第２の各混合管７Ｕ，７Ｌの上流端に臨ませて配置した第１と第２の各ノズル８Ｕ，８Ｌから噴出される燃料ガスと一次空気とが各混合管７Ｕ，７Ｌ内で混合され、各混合管７Ｕ，７Ｌからの混合気が対応する各炎口６Ｕ，６Ｌに供給されるようにしている。即ち、第１混合管７Ｕからの混合気はバーナボディ４の中間筒体４２と内側筒体４３との間の空間及び下ヘッド部材５１と上ヘッド部材５２との間の空間を介して上段炎口６Ｕに供給され、第２混合管７Ｌからの混合気はバーナボディ４の外側筒体４１と中間筒体４２との間の空間及び外側筒体４１と下ヘッド部材５１との間の空間を介して下段炎口６Ｌに供給される。
【００１５】
このように上段と下段の各炎口６Ｕ，６Ｌに各別の混合管７Ｕ，７Ｌから各別の経路で混合気が供給されるため、上段炎口６Ｕと下段炎口６Ｌの両者で燃焼させる強火状態から下段炎口６Ｌのみで燃焼させるとろ火状態まで火力を広範囲に調節することが可能になる。
【００１６】
尚、バーナボディ４の外側筒体４１には、その上端部外周から下方にのびるスカート部４１ａが設けられている。そして、スカート部４１ａに、天板２のバーナ用開口２ａを覆うカバーリング９を外挿し、バーナ用開口２ａからの煮こぼれ汁の侵入をカバーリング９により防止できるようにしている。
【００１７】
また、バーナ３には、点火炎口６Ｉに点火する点火プラグ１０と、点火プラグ１０の配置位置とはバーナヘッド５の周方向反対側の位置で下段炎口６Ｌの火炎を検知する熱電対から成る火炎検知素子１１とが付設されている。バーナ３には、更に、バーナヘッド５で囲われるバーナ内周空間に位置させて、調理容器の温度を検出する鍋底温度センサ１２が付設されている。
【００１８】
ところで、本実施形態のバーナ３は、バーナヘッド５が単一の部材で構成されるコンロ用バーナと異なり、下ヘッド部材５１と上ヘッド部材５２との２部材でバーナヘッド５が構成されるため、バーナ３の掃除後に、バーナボディ４上に下ヘッド部材５１のみを設置し、上ヘッド部材５２を設置し忘れる虞がある。そして、上ヘッド部材５２を設置し忘れた場合でも、点火炎口６Ｉへの点火が行われると、下段炎口６Ｌへの火移りで火炎検知素子１１が火炎を検出し、図示省略した電磁安全弁が開弁状態に保持されて、第１と第２のノズル８Ｕ，８Ｌから燃料ガスが噴出され続ける。そして、上ヘッド部材５２により規制されずに上方に不正規に放出される上段炎口６Ｕ用の混合気に火移りし、逆火や燃焼不良を生ずる。
【００１９】
そこで、本実施形態では、下ヘッド部材５１に点火プラグ１０に対向するターゲット部５５を設けると共に、点火炎口６Ｉを、ターゲット部５５の下側の下ヘッド部材５１の周面部分に開口し、且つ、下ヘッド部材５１と上ヘッド部材５２との間の空間に連通するように設けて、当該空間に流れる上段炎口６Ｕ用の混合気の一部を点火炎口６Ｉに流入させるようにしている。
【００２０】
ここで、上ヘッド部材５２を設置し忘れた状態では、上段炎口６Ｕ用の混合気は上ヘッド部材５２による規制を受けずに上方に放出されるため、点火炎口６Ｉへ上段炎口６Ｕ用の混合気が供給されなくなって、点火炎口６Ｉが点火不能になる。従って、上ヘッド部材５２を設置し忘れた状態での点火により火炎検知素子１１が火炎を検知して、ノズル８Ｕ，８Ｌから燃料ガスが噴出され続け、上方に不正規に放出される上段炎口６Ｕ用の混合気への火移りで逆火や燃焼不良を生ずることを防止できる。以下、点火炎口６Ｉついて更に詳述する。
【００２１】
本実施形態では、下ヘッド部材５１の上環状壁５３に、これに突設したターゲット部５５の下側の周面部分に開口する孔を穿孔して、この孔により点火炎口６Ｉを形成している。ここで、点火炎口６Ｉは、第１ヘッド部材５１の周面、即ち、上環状壁５３の周面に向けて下方に傾斜するように形成されている。
【００２２】
また、下ヘッド部材５１と上ヘッド部材５２との間の空間に対する点火炎口６Ｉの連通部となる上環状壁５３の部分５３ａは、上段炎口６Ｕとなる溝を形成する上環状壁５３の部分よりも径方向内方にのびている。そして、上環状壁５３の上記部分５３ａに、図１、図３に示す如く流入溝６Ｉａを形成し、上段炎口６Ｉ用の混合気が流入溝６Ｉａを介して点火炎口６Ｉに流入するようにしている。流入溝６Ｉａの溝幅は上段炎口６Ｉの孔径よりも小さく、例えば、上段炎口６Ｉの孔径が４ｍｍであるのに対し、流入溝６Ｉａの溝幅は１．２ｍｍになっている。
【００２３】
本実施形態のような下方に傾斜した点火炎口６Ｉには、上ヘッド部材５２により上段炎口６Ｉ用の混合気の上方への流れを規制しない限り混合気が流れない。更に、上環状壁５３の流入溝６Ｉａを形成する径方向内方への延出部分５３ａによっても上段炎口６Ｕ用の混合気の点火炎口６Ｉへの流入が制限される。従って、上ヘッド部材５２を設置し忘れた状態での点火炎口６Ｉへの点火をより確実に防止できる。
【００２４】
また、点火炎口６Ｕを本実施形態のように下ヘッド部材５１に穿孔した孔で形成する場合、この孔が下ヘッド部材５１と上ヘッド部材５２との間の空間に直接連通していると、この空間への点火炎口６Ｉからの逆火を防止する上で、点火炎口６Ｉの孔径を２ｍｍ以下にすることが必要になる。然し、孔径が２ｍｍ程度では、下ヘッド部材５１の洗浄で点火炎口６Ｉが水封すると、水が抜けなくなる。これに対し、本実施形態では、下ヘッド部材５１と上ヘッド部材５２との間の空間に対する点火炎口６Ｉの連通部に、溝幅を点火炎口６Ｉの孔径より小さくした流入溝６Ｉａが設けられるため、水が抜けやすくなるように点火炎口６Ｉの孔径を４ｍｍ程度に大きくしても、流入溝６Ｉａにより逆火を防止できる。尚、流入溝６Ｉａの溝幅が狭くても、溝内の水は容易に吹き飛ばすことができ、問題はない。
【００２５】
以上、本発明の実施形態について図面を参照して説明したが、本発明はこれに限定されない。例えば、上記実施形態では、上段炎孔６Ｕと下段炎孔６Ｌとに各別の混合管７Ｕ，７Ｌから混合気を供給しているが、共通１個の混合管から上段炎孔６Ｕと下段炎孔６Ｌとに混合気を供給することも可能である。また、上記実施形態では、下ヘッド部材５１の上面外周部に立設した上環状壁５３に、上段炎口６Ｕとなる溝、ターゲット部５５及び点火炎口６Ｉとなる孔を形成したが、上段炎口６Ｕとなる溝を形成する環状壁を上ヘッド部材５２の下面外周部に垂設することも可能である。この場合、点火プラグ１０の配置部に合致する環状壁の部分に切欠きを形成し、この切欠きに嵌合するように下ヘッド部材５１の上面に突起部を立設して、この突起部にターゲット部５５と点火炎口６Ｉとを形成すれば良い。
【００２６】
また、点火プラグ１０に対向するターゲット部を上ヘッド部材５２に設けることも可能である。但し、この場合には、上ヘッド部材５２を設置し忘れると、点火プラグ１０と下ヘッド部材５１との間での不正規な火花放電が行われて、下段炎口６Ｌに点火されてしまう可能性がある。ここで、下ヘッド部材５１の下段炎口６Ｌから離れた点火炎口６Ｉの近傍部分に第２のターゲット部を設けて、上ヘッド部材５２を設置し忘れた場合に点火プラグ１０と第２のターゲット部との間で火花放電が行われるようにすれば、下段炎口６Ｌに点火されることをある程度は防止できる。然し、上ヘッド部材５２が設置されている状態において、第２のターゲット部と点火プラグ１０との間ではなく、上ヘッド部材５２に設けたターゲット部と点火プラグ１０との間で確実に火花放電が行われるようにするには、第２のターゲット部と点火プラグ１０との間の距離（放電ギャップ）を上ヘッド部材に設けたターゲット部と点火プラグ１０との間の放電ギャップの２倍以上に設定する必要がある。そのため、上ヘッド部材５２を設置し忘れた場合、点火プラグ１０と第２のターゲット部との間ではなく、点火プラグ１０と下段炎口６Ｌの近傍部分との間で火花放電が行われて、下段炎口６Ｌに点火される可能性が残る。
【００２７】
これに対し、上記実施形態のようにターゲット部５５を下ヘッド部材５１に設けておけば、上ヘッド部材５２を設置し忘れた場合でも、ターゲット部５５と点火プラグ１０との間だけで火花放電が行われるため、不正規な火花放電により下段炎口６Ｌに点火されることを確実に防止でき、有利である。
【図面の簡単な説明】
【００２８】
【図１】本発明の実施形態のバーナの断面図。
【図２】実施形態のバーナの斜視図。
【図３】実施形態のバーナの下ヘッド部材の要部の平面図。
【符号の説明】
【００２９】
３…コンロ用バーナ、４…バーナボディ、５…バーナヘッド、５１…下ヘッド部材、５２…上ヘッド部材、５５…ターゲット部、６Ｕ…上段炎口、６Ｌ…下段炎口、６Ｉ…点火炎口、６Ｉａ…流入溝、１０…点火プラグ。
【図１】
0004408923.tif 000002
【図２】
0004408923.tif 000003
【図３】
0004408923.tif 000004